(57)【要約】【解決手段】本発明に係る音声による携帯電話のロック解除方法は、ユーザが最初に携帯電話を使用する際、ユーザに音声の入力を要求し、次いで携帯電話がその音声を分析した後、声紋の特徴を抜き取ってファイルを作成し、携帯電話のメモリに保存する。しかる後に、ユーザは携帯電話を毎回使用したい時に、該音声を発声すると、該携帯電話はその音声と前記保存の声紋データを比較する。さらにこの比較の結果に基づき、該ユーザがこの携帯電話を正常に使用できるか否かを決定する。【効果】本発明によれば、携帯電話の盗難の防止し、携帯電話データの秘密を保持することができる。【選択図】なし【特許請求の範囲】
【請求項１】
（１）ユーザが最初に携帯電話を使用する際、そのユーザに音声の入力を要求し、該携帯電話がその声紋を分析した後、声紋の特徴を抜き取ってファイルを作成し、該携帯電話内のメモリに保存するステップ；
（２）その後、該ユーザには、携帯電話を毎回使用したい時に前記の音声を発声させ、該携帯電話が該音声と前記メモリに保存された声紋データとを比較するステップ；
（３）前記の比較の結果に基づいて、該ユーザが正常に前記携帯電話を使用できるか否かを決定するステップ；
を主に有する、音声による携帯電話のロック解除方法。
【請求項２】
前記ステップ（３）は、携帯電話のスイッチがオンの状態の時、またはキーボードのロックが解除された時に実施されることを特徴とする請求項１に記載の音声による携帯電話のロック解除方法。
【請求項３】
前記比較した結果、前記入力された音声の声紋と前記携帯電話に保存された声紋データとが一致した場合、ユーザが正常に前記の携帯電話を使用することができ、また、前記入力された音声の声紋と前記携帯電話に保存された声紋データとが一致しない場合は、該ユーザは前記携帯電話を正常に使用できないことを特徴とする請求項１に記載の音声による携帯電話のロック解除方法。
【請求項４】
前記ユーザが入力した音声は、該ユーザの名前であることを特徴とする請求項１に記載の音声による携帯電話のロック解除方法。
【請求項５】
ＣＰＵと、スピーカと、液晶表示スクリーンと、キーボードと、マイクロホンと、メモリと、携帯電話のラジオ・フリケンシー（ＲＦ）モジュールと、アンテナとを備える声紋確認機能を有する携帯電話であって、
前記携帯電話は、さらに声紋比較モジュールを有しており、該声紋比較モジュールによって声紋が比較され、
かつ前記メモリには声紋データが保存されている、声紋確認機能を有する携帯電話。
【発明の詳細な説明】
【０００１】
【発明の属する技術分野】
この発明は、音声による携帯電話のロック解除方法、および声紋確認機能を有する携帯電話に関する。特に、携帯電話に保存されたユーザの声紋データと、入力された音声とを比較することにより、携帯電話のロックを解除する方法に関する。
【０００２】
【従来の技術】
従来から、携帯電話においては、データの秘密保持と、携帯電話の遺失については解決することができなかった。この問題に対しては、ユーザの身分を如何にして確認できるかが一つのキーポイントである。携帯電話において、電話のロック解除暗号（暗証番号）は全てキーにより入力されるようになっており、これにより、初めて使用することができる。また、通常、待機中の携帯電話は、一般的に電話のキーがロックされており、しかも、この種の押しキーでロックする方式も、大部分が携帯電話上のキーを押すことにより実施されている。これらの方式は事実上、同一人かどうかの比較には不便であり、かつ暗号も比較的に解読されやすい。
【０００３】
また、技術的な面においては、音声の確認技術はすでに成熟したものに属する。かつ設計の面からは、音声確認に対する需要はほとんどない。音声確認の技術は個人に対応（および携帯電話を所有している人の判別）しており、同時に多くの人の音声を判別する必要がない。この点は多年前のボイスダイヤルの技術とは異なる。
【０００４】
したがって、音声確認の技術を携帯電話に応用することは、実用的である。
【０００５】
【発明の目的】
携帯電話自体でユーザを判断させるために、この発明はＭＭＩ（Ｍａｎ−Ｍａｃｈｉｎｅ  Ｉｎｔｅｒｆａｃｅ）環境における、声紋確認機能を結合した身分検証システムの発展によって、前記の困難を克服した。したがって、この発明は、携帯電話における音声によるロック解除の方法と、声紋の確認機能を有する携帯電話に関する。本発明の携帯電話においては、携帯電話に声紋の確認機能を加えて、まずユーザの声紋データを携帯電話上に保存する。そして、ロック解除またはユーザが操作する前に、人間の持つ声紋の特定性（独自性）により身分の判別を行う。
【０００６】
このため、この発明の主要な目的は携帯電話における音声によるロック解除の方法と、声紋の確認機能を有する携帯電話を提供することにより、音声によるロック解除の方式を介して盗難の防止と携帯電話のデータの秘密保持を達成する点にある。
この発明の他の目的は、携帯電話における音声によるロック解除の方法と声紋の確認機能を有する携帯電話を提供することにより、音声によるロック解除の方式を介して、操作上の利便性と趣味性に到達する点にある。
【０００７】
この発明のさらに一つの目的は、携帯電話における音声によるロック解除の方法と声紋の確認機能を有する携帯電話を提供することにより、声紋の独自性によって、すべての携帯電話システムがさらに安全となる点にある。
【０００８】
【発明の概要】
本発明に係る音声による携帯電話のロック解除方法は、
（１）ユーザが最初に携帯電話を使用する際、そのユーザに音声の入力を要求し、該携帯電話がその声紋を分析した後、声紋の特徴を抜き取ってファイルを作成し、該携帯電話内のメモリに保存するステップ；
（２）その後、該ユーザには、携帯電話を毎回使用したい時に前記の音声を発声させ、該携帯電話が該音声と前記メモリに保存された声紋データとを比較するステップ；
（３）前記の比較の結果に基づいて、該ユーザが正常に前記携帯電話を使用できるか否かを決定するステップ；
を主に有することを特徴とする。
【０００９】
前記ステップ（３）は、携帯電話のスイッチがオンの状態の時、またはキーボードのロック機能が解除された時に実施されることが好ましい。
また、前記比較した結果、前記入力された音声の声紋と前記携帯電話に保存された声紋データとが一致した場合、ユーザが正常に前記の携帯電話を使用することができ、また、前記入力された音声の声紋と前記携帯電話に保存された声紋データとが一致しない場合は、該ユーザは前記携帯電話を正常に使用できないことが好ましい。
【００１０】
前記ユーザが入力した音声は、該ユーザの名前であることも好ましい。
本発明に係る声紋の確認機能を有する携帯電話は、ＣＰＵと、スピーカと、液晶表示スクリーンと、キーボードと、マイクロホンと、メモリと、携帯電話のラジオ・フリケンシー（ＲＦ）モジュールと、アンテナとを備える携帯電話であって、
前記携帯電話は、更に声紋比較モジュールを有しており、該声紋比較モジュールによって声紋が比較され、
かつ前記メモリには声紋データが保存されていることを特徴とする。
【００１１】
【発明の実施の態様】
以下、本発明に係る音声による携帯電話のロック解除方法、および声紋確認機能を有する携帯電話の実施態様について、図面を参照しながら詳細に説明する。
まず第１図を参照して説明する。第１図は本発明の携帯電話の構造（回路ブロック図）を示す。図からわかるように、携帯電話１は一つのＣＰＵ１１と、メモリ１２と、携帯電話のラジオ・フリケンシー（ＲＦ）モジュール１３と、スピーカ１４と、液晶表示スクリーン１５と、キーボード１６と、マイクロホン１７とを基本的に有する。その内、携帯電話のラジオ・フリケンシーモジュール１３には、外部に一つのアンテナ１３１が接続され、信号の受信、発信に用いられるようになっている。
【００１２】
一般の携帯電話に比べて、この発明の声紋の確認機能を有する携帯電話には、さらに声紋比較モジュール１８が設置されている。前記の装置中において、マイクロホン１７は音声データの入力を行うのに用いられる。
声紋の検証を行う第一の重要なステップはユーザの音声をレコーディングすることである。電話上でレコーディングを実行可能とするため、音声レコーディング可能の制御素子を書き作り、レコーディング素子はＭＭＩと連絡するためのインタフェースを提供する。ＭＭＩはこのインタフェースを通してレコーディングされた声紋にアクセスすることができ、メモリ内に保存された声紋データと比較することができる。もし正確（一致）であれば正常かつ正確に携帯電話のロックが解除され使用することができる。メモリ１２は声紋データの保存に用いられる。声紋の比較モジュール１８は音声の声紋を確認し、それによって、この発明の携帯電話の音声解除の操作が行われる。
【００１３】
この発明の声紋の比較方法は第２図に示すようなステップからなる。第２図は隠れマルコフモデル（ＨＭＭ）を用いた声紋の比較のフローチャートを示す図である。
まず、ユーザに音声を入力させ（ステップＳ２１）、ＣＰＵ１１が声紋比較モジュール１８に基づいて、音声を初期声紋モデル（ステップＳ２２）に転換する。次に、初期声紋モデルを初期化マルコフモデル（Ｉｎｉｔｉａｌｉｚｅｄ  Ｍａｒｋｏｖ  Ｍｏｄｅｌ）（ステップＳ２３）に転換する。さらに隠れマルコフモデル（ＨＭＭ）（ステップＳ２４）に転換する。その後、声紋の検証（ステップＳ２５）を行い、この検証の結果、成功（一致）の場合、携帯電話を使用でき（ステップＳ２６）、失敗（不一致）の場合には、携帯電話のキーボードのロック機能が解除されず使用することができない（ステップＳ２７）。
【００１４】
本発明の携帯電話においては、隠れマルコフ言語モデル（ｔｈｅ  ｈｉｄｄｅｎ  Ｍａｒｋｏｖ  Ｌａｎｇｕａｇｅ  Ｍｏｄｅｌ）はダイナミック辞書機構（ａ  ｄｙｎａｍｉｃ  ｄｉｃｔｉｏｎａｒｙ  ｍｅｃｈａｎｉｓｍ）をマルコフモデルに整合させるプロセスである。それによって、整合されたモデルは、迅速かつ漸進に音節を処理するマルコフ言語モデルの能力を備えると共に、非監督式の学習能力を備える。この言語モデルを使用する場合、各々の中文文字（Ｃｈｉｎｅｓｅ  ｗｏｒｄ）に対し、９つの状態を使用してモデルが構築される。並びに文字と文字との間に無音の状態を加える。このモデルに基づいて隠れマルコフ言語モデル関連の演算法を執行し、最後に好ましい声紋のモデルを得ることができる。このモデルは訓練を経た後には安定になり、それを使用することでユーザの身分を検証するものである。
【００１５】
最後に第３図を参照して本発明を説明する。第３図はこの発明の携帯電話の音声身分確認システムのフローチャートを示す図である。
図３に示すように携帯電話のスイッチがオンにされると、携帯電話は、この携帯電話の使用が最初か否かを判断する（ステップＳ３１）。その判断の結果、イエス（最初の使用）である場合、携帯電話はユーザに音声を入力するよう要求する（ステップＳ３５）。入力された音声の声紋データをサンプリングし、分析を行う（ステップＳ３６）。次に、入力された音声データが有効か否かを検査する（ステップＳ３７）。この検査の結果、無効ならばステップＳ３５に戻り、新たに音声を入力させ、有効の場合には声紋データとして保存し（ステップＳ３８）、さらに新たにスイッチがオンとなる。
【００１６】
一方、ステップＳ３１において、もし携帯電話の使用が最初でない場合には、携帯電話はユーザに対し音声入力を要求する（ステップＳ３２）。音声が入力されると、その音声の声紋データをサンプリングし、分析する（ステップＳ３３）。さらに、保存された声紋データと入力された声紋との比較を行い、ユーザの身分を確認する（ステップＳ３４）。確認の結果、身分が正確（声紋データが一致）である場合には、携帯電話が正常の待機モードに復帰し、確認の結果、身分が異なる（声紋データが不一致）場合には、ステップＳ３２に戻り、ユーザが音声の再入力するのを待機する。
【００１７】
この他、携帯電話がキーロックモードである時、機能キーを入力させる（ステップＳ３９）。そして同様にステップＳ３２に進み、ユーザが音声を入力した後、前記に述べたステップを継続させる。
以上に述べたものは、この発明の一つの好ましい実施例にすぎず、この発明の実施の範囲を限定するに用いるものではない。したがってこの発明の特許請求の範囲内で述べる形状、構造、特徴および精神がなす均等と認識される変化や修飾は、すべてこの発明の特許請求の範囲内に包括されるべきである。
【００１８】
【発明の効果】
本発明によれば、携帯電話の盗難の防止し、携帯電話データの秘密を保持することができる。
【図面の簡単な説明】
【図１】第１図は、本発明に基づく音声による身分確認機能を有する携帯電話の回路ブロック図を示す。
【図２】第２図は、本発明に基づく声紋の確認のフローチャートを示す図である。
【図３】第３図は、本発明に基づく携帯電話における音声ロック解除の方法のフローチャートを示す図である。
【符号の説明】
１            携帯電話
１１          ＣＰＵ
１２          メモリ
１３          携帯電話ラジオ・フリケンシーモジュール
１４          スピーカ
１５          液晶表示スクリーン
１６          キーボード
１７          マイクロホン
１８          声紋比較モジュール
１３１        アンテナ
【図１】
2004180254.tif 000002
【図２】
2004180254.tif 000003
【図３】
2004180254.tif 000004